(57)【要約】広帯域無線アクセスシステムにおいて、データ受信中にハンドオーバーが行われるとき、基地局間で前記データの伝送を可能にするために、ＩＰアドレス設定手順を延期する方法を提供する。ダウンリンクデータを受信中の端末が第１基地局領域から第２基地局領域に移動すると、前記第１基地局は前記ダウンリンクデータを第２基地局に伝送し、前記第２基地局は所定のメッセージを利用して前記端末に伝送されるデータがあることを通知することで、前記端末のＩＰアドレス設定を遅延させる。
2007536787.tif 000002
【特許請求の範囲】
【請求項１】
広帯域無線アクセスシステムにおいて、
エンドユーザ間にセッション接続が存在する間、端末のためのハンドオーバーが必要であるということを決定する段階と、
ハンドオーバー後、第２接続点が前記セッションを維持しなければならないことを、第１接続点が第２接続点に報告する段階と、
前記第２接続点と関係を結ぶように前記端末がハンドオーバー手順を行う段階と、
端末ダウンリンクデータ待機要素（ｍｏｂｉｌｅ  ｓｔａｔｉｏｎ  ｄｏｗｎｌｉｎｋ  ｄａｔａ  ｐｅｎｄｉｎｇ  ｅｌｅｍｅｎｔ）が存在することを前記第２接続点が前記端末に通知する段階と、
インターネットプロトコルアドレス指定の変更が必要である場合、前記ダウンリンクデータ待機要素を受信した後、前記インターネットプロトコルアドレス指定を延期する段階を含むことを特徴とするハンドオーバー方法。
【請求項２】
前記決定する段階は、前記端末又はネットワーク要素により行われることを特徴とする請求項１に記載のハンドオーバー方法。
【請求項３】
前記端末が前記第２接続点から伝送されるダウンリンクデータを待機して受信できるように適当に設定されたタイマーを有する場合、前記通知を省略することを特徴とする請求項１に記載のハンドオーバー方法。
【請求項４】
前記延期する段階は、前記端末が行うことを特徴とする請求項１に記載のハンドオーバー方法。
【請求項５】
前記端末が新しいインターネットプロトコルアドレス指定又は再設定を行う段階と、
データ伝送のための資源を終了するように、前記第１接続点が前記第２接続点に指示する段階とをさらに含むことを特徴とする請求項１に記載のハンドオーバー方法。
【請求項６】
前記端末が前記第２接続点と関係を結ぶということは、前記端末がネットワークエントリ又はリエントリすることであることを特徴とする請求項１に記載のハンドオーバー方法。
【請求項７】
前記ハンドオーバー手順は、レンジング及び登録を含むことを特徴とする請求項１に記載のハンドオーバー方法。
【請求項８】
前記セッションは、前記第２接続点による前記端末へのデータ伝送を含むことを特徴とする請求項１に記載のハンドオーバー方法。
【請求項９】
前記接続点は、基地局、ルータ、又は他の種類のアクセスポイントであることを特徴とする請求項１に記載のハンドオーバー方法。
【請求項１０】
前記第１接続点は以前のサービング基地局であり、第２接続点は新しいサービング基地局であることを特徴とする請求項９に記載のハンドオーバー方法。
【請求項１１】
前記手順は、１つの広帯域無線アクセスシステムにおいて行われることを特徴とする請求項１に記載のハンドオーバー方法。
【請求項１２】
前記手順は、複数の無線接続システム間で行われることを特徴とする請求項１に記載のハンドオーバー方法。
【請求項１３】
前記複数の無線接続システムは、ＩＥＥＥネットワークとセルラーネットワークから構成されることを特徴とする請求項１２に記載のハンドオーバー方法。
【請求項１４】
広帯域無線アクセスシステムにおいて、
エンドユーザ間にセッション接続が存在する間、端末のためのハンドオーバーが必要であることを決定する段階と、
データ伝送表示と共に、以前の接続点の解除を行うことを端末が新しい接続点に通知する段階と、
ハンドオーバーの後、新しい接続点が前記セッションを維持しなければならないことを以前の接続点が前記新しい接続点に報告する段階と、
前記新しい接続点と関係を結ぶように前記端末がハンドオーバー手順を行う段階と、
移動端末ダウンリンクデータ待機要素が存在することを前記新しい接続点が前記端末に通知する段階と、
インターネットプロトコルアドレス指定の変更が必要である場合、前記ダウンリンクデータ待機要素を受信した後、前記インターネットプロトコルアドレス指定を延期する段階と
を含むことを特徴とするハンドオーバー方法。
【請求項１５】
前記報告する段階以前に、データ伝送がサポートできるか否かを以前の接続点が通知する段階をさらに含むことを特徴とする請求項１４に記載のハンドオーバー方法。
【請求項１６】
前記決定する段階は、前記端末又はネットワーク要素により行われることを特徴とする請求項１４に記載のハンドオーバー方法。
【請求項１７】
前記端末が前記第２接続点から伝送されるダウンリンクデータを待機して受信できるように適当に設定されたタイマーを有する場合、前記通知を省略することを特徴とする請求項１４に記載のハンドオーバー方法。
【請求項１８】
前記延期する段階は、前記端末が行うことを特徴とする請求項１４に記載のハンドオーバー方法。
【請求項１９】
前記端末が新しいインターネットプロトコルアドレス指定又は再設定を行う段階と、
データ伝送のための資源を終了するように、前記第１接続点が前記第２接続点に指示する段階とをさらに含むことを特徴とする請求項１４に記載のハンドオーバー方法。
【請求項２０】
前記端末が前記第２接続点と関係を結ぶということは、前記端末がネットワークエントリ又はリエントリすることであることを特徴とする請求項１４に記載のハンドオーバー方法。
【請求項２１】
前記ハンドオーバー手順は、レンジング及び登録を含むことを特徴とする請求項１４に記載のハンドオーバー方法。
【請求項２２】
前記セッションは、前記第２接続点による前記端末へのデータ伝送を含むことを特徴とする請求項１４に記載のハンドオーバー方法。
【請求項２３】
前記接続点は、基地局、ルータ、又は他の種類のアクセスポイントであることを特徴とする請求項１４に記載のハンドオーバー方法。
【請求項２４】
前記第１接続点は以前のサービング基地局であり、第２接続点は新しいサービング基地局であることを特徴とする請求項２３に記載のハンドオーバー方法。
【請求項２５】
前記手順は、１つの広帯域無線アクセスシステムにおいて行われることを特徴とする請求項１４に記載のハンドオーバー方法。
【請求項２６】
前記手順は、複数の無線接続システム間で行われることを特徴とする請求項１４に記載のハンドオーバー方法。
【請求項２７】
前記複数の無線接続システムは、ＩＥＥＥネットワークとセルラーネットワークから構成されることを特徴とする請求項２６に記載のハンドオーバー方法。
【請求項２８】
広帯域無線アクセスシステムにおいて、
ダウンリンクデータを受信中の移動端末が第１基地局によりサービングされる領域から第２基地局によりサービングされる領域に移動する場合、
前記第１基地局は前記第２基地局に前記ダウンリンクデータを伝送し、前記第２基地局は、前記移動端末に伝送されるダウンリンクデータがあることを前記移動端末に通知することを特徴とするハンドオーバー方法。
【請求項２９】
前記ダウンリンクデータを前記端末が受信できるように、前記端末でＩＰアドレス設定を延期する段階をさらに含むことを特徴とする請求項２８に記載のハンドオーバー方法。
【請求項３０】
前記通知は、登録応答メッセージ又はレンジング応答メッセージを使用して達成されることを特徴とする請求項２８に記載のハンドオーバー方法。
【請求項３１】
前記登録応答メッセージは、伝送されるダウンリンクデータが存在することを通知することで、前記端末のＩＰアドレス設定を延期するパラメータを含むことを特徴とする請求項３０に記載のハンドオーバー方法。
【請求項３２】
前記移動端末がハンドオーバーインジケータを前記第１基地局に伝送することにより、前記第１基地局が第２基地局に前記ダウンリンクデータを伝送できるか否かを確認する段階と、
前記第１基地局がデータ伝送インジケータにより移動端末にデータ伝送できるか否かを通知し、前記ダウンリンクデータを第２基地局に伝送する段階と、
前記データ伝送インジケータが受信されると、前記第２基地局からダウンリンクデータを受信した後、ＩＰ再設定手順を行う段階とをさらに含むことを特徴とする請求項２８に記載のハンドオーバー方法。
【請求項３３】
前記第１基地局が明確にデータ伝送能力を通知できない場合、又は所定時間内にデータ伝送インジケータが受信されない場合、前記移動端末は、初期ネットワークエントリを行い、ダウンリンクデータの到着を所定時間待機した後、ＩＰ再設定手順を行うことを特徴とする請求項３２に記載のハンドオーバー方法。
【請求項３４】
前記データ伝送インジケータは、２ビットの動作コードであり、データ伝送可能又はデータ伝送不可能に区分されることを特徴とする請求項３２に記載のハンドオーバー方法。
【請求項３５】
移動端末がハンドオーバーインジケータを第１基地局に伝送する段階と、
前記第１基地局がデータ伝送インジケータにより第２基地局に前記ダウンリンクデータを伝送する段階と、
前記移動端末が第１メッセージにより、第２基地局が前記移動端末に伝送するデータがあることを通知する段階と、
前記第１メッセージにより前記移動端末が所定時間ＩＰ再設定を延期し、前記第２基地局からダウンリンクデータを受信する段階とをさらに含むことを特徴とする請求項２８に記載のハンドオーバー方法。
【請求項３６】
前記第２メッセージは、登録応答メッセージ又はレンジング応答メッセージであることを特徴とする請求項３５に記載のハンドオーバー方法。
【請求項３７】
前記ハンドオーバーインジケータは、第１基地局の解除を示すことを特徴とする請求項３５に記載のハンドオーバー方法。
【請求項３８】
広帯域無線アクセスシステムにおいて、
第１基地局からダウンリンクデータの受信中、第１基地局及び第２基地局がハンドオーバーを行う段階と、
前記第１基地局から以前に受信したダウンリンクデータに関する追加ダウンリンクデータを前記第２基地局が伝送するという表示を受信する段階と、
前記追加ダウンリンクデータを受信するまでインターネットプロトコルアドレス設定を延期する段階と、
前記第１基地局から前記追加ダウンリンクデータを受信する段階と
を含むことを特徴とする移動中にデータ受信を維持する方法。
【請求項３９】
前記追加ダウンリンクデータを受信した後、インターネットプロトコルアドレスを設定してインターネットプロトコル接続を再設定する段階をさらに含むことを特徴とする請求項３８に記載の移動中にデータ受信を維持する方法。
【請求項４０】
広帯域無線アクセスシステムにおいて、
第１基地局から端末にダウンリンクデータを送信する間、第１基地局及び第２基地局が前記端末とハンドオーバーを行う段階と、
前記第１基地局から以前に送信したダウンリンクデータに関する追加ダウンリンクデータを前記第２基地局が伝送するという表示を前記端末に送信する段階と、
前記追加ダウンリンクデータを全て受信するまでインターネットプロトコルアドレス設定を延期した端末に前記追加ダウンリンクデータを前記第２基地局から送信する段階と
を含むことを特徴とする移動中にデータ送信を維持する方法。
【請求項４１】
前記追加ダウンリンクデータを送信した後、インターネットプロトコルアドレスを設定してインターネットプロトコル接続を再設定するために前記端末と連携する段階をさらに含むことを特徴とする請求項４０に記載の移動中にデータ送信を維持する方法。
【発明の詳細な説明】
【技術分野】
【０００１】
本発明は、広帯域無線アクセスシステムにおいてデータサービスの連続性を維持する方法に関し、特に、ハンドオーバー中又はアイドルモードでデータサービスの連続性を維持するための端末のＩＰアドレス設定方法に関する。
【背景技術】
【０００２】
一般に、広帯域無線アクセスシステムでは、移動（又は、固定）端末（例えば、移動局、モバイル加入者局（ＭＳＳ）、ユーザ端末、ユーザ機器（ＵＥ）など）の電力消費を最小化するために、アイドルモードをサポートしている。前記アイドルモードにおいて、ページング領域（Ｐａｇｉｎｇ  Ｚｏｎｅ）は、「ページンググループ」という複数の基地局が担当する全体領域として定義され、同一のページング領域に含まれる全ての基地局は、同一のページング周期値（Ｐａｇｉｎｇ＿Ｃｙｃｌｅ）及びページングオフセット値（Ｐａｇｉｎｇ＿Ｏｆｆｓｅｔ）を有する。
【０００３】
前記端末は、基地局にアイドルモードへの移行を要求でき、前記基地局は、基地局のページング領域ＩＤ（ページンググループＩＤ）とそれによるページング周期及びページングオフセットとを端末に伝送することにより、該当端末がアイドルモード状態に移行することを可能にする。前記アイドルモード中に、前記端末は、各ページング周期で基地局からブロードキャスト形態で伝送されるページングに基づいて続けてアイドルモードを維持するか、又は終了するかを判断できる。
【０００４】
また、アイドルモードの端末が伝送しなければならないトラヒック（例えば、データ、パケットなど）が発生した場合、前記端末は、いつでもアイドルモードを終了できる。また、アイドルモードの端末が他のページング領域に移動したり、同期を失うなどの理由で、所定時間にページングを受信することができない場合、端末はアイドルモードを終了する。
【０００５】
以下、端末のアイドルモードへの移行過程及びダウンリンクデータが存在する場合の従来のＩＰアドレス設定方法について説明する。
【０００６】
しかしながら、図１において、ダウンリンクトラヒック（データ）を移動端末が登録した基地局に、すなわち、以前の基地局（Ｓｅｒｖｉｎｇ  ＢＳ）から新しい基地局（Ｔａｒｇｅｔ  ＢＳ）に伝送する方法が従来技術には定義されていない。また、基地局間でデータを伝送する方法が定義されているとしても、前記端末がＩＰアドレスを再設定すると、前記伝送されたデータは、前記端末のアプリケーションプログラムにとっては無駄なデータとなる。
【０００７】
例えば、図１において、アイドルモードの端末がページング領域に移動して他の基地局（ＢＳ＃３）の領域にある場合、最初にアイドルモードに移行するために登録解除を行った基地局（ＢＳ＃１）にダウンリンクデータが到着すると、前記基地局（ＢＳ＃３）は、ページングメッセージにより前記端末にネットワークエントリ（ｎｅｔｗｏｒｋ  ｅｎｔｒｙ）を行うように通知する。
【０００８】
その後、前記端末が最初にアイドルモードに移行した基地局（ＢＳ＃１）から現在ページングを受信している基地局（ＢＳ＃３）に前記データが伝送される必要があるが、従来技術は、このような伝送の方法を定義していない。
【０００９】
また、前述した問題が解決されたとしても、図２に示すように、従来技術では、ダウンリンクトラヒック（データ）があるときにページングを受信した場合、前記端末がＩＰアドレス設定（再設定）手順を行うため、前記受信したデータは、前記端末にとっては無駄なデータとなる。
【００１０】
従って、従来技術では、前述したような動作のうち、アイドルモードの端末に伝送される必要のあるトラヒック（データ）が発生した場合、前記端末がＩＰ設定手順を行わずにデータを受信する方法が定義されていない。
【００１１】
一方、広帯域無線アクセスシステムにおいてハンドオーバーを行うとき、前記端末は、サービング基地局（Ｓｅｒｖｉｎｇ  ＢＳ）との接続を解除した後、ハンドオーバーするターゲット基地局（Ｔａｒｇｅｔ  ＢＳ）にハンドオーバーを行う。前記端末がハンドオーバーを行うとき、前記サービング基地局に移動端末ハンドオーバーインジケータ（ＭＯＢ＿ＨＯ＿ＩＮＤ）が伝送され、ハンドオーバーインジケータタイプ（ＨＯ＿ＩＮＤ＿ｔｙｐｅ）の値が「００」である場合は、サービング基地局解除（Ｓｅｒｖｉｎｇ  ＢＳ  Ｒｅｌｅａｓｅ）を意味する。
【００１２】
従来技術では、ハンドオーバーインジケータタイプの値が「００」である場合、サービング基地局が全ての接続を解除し、前記端末に関するＭＡＣ（Ｍｅｄｉｕｍ  Ａｃｃｅｓｓ  Ｃｏｎｔｒｏｌ）の状態機械及びＭＡＣ  ＰＤＵ（Ｐｒｏｔｏｏｌ  Ｄａｔａ  Ｕｎｉｔｓ）を無視できる。また、サービング基地局は、前記ＭＡＣ状態機械及びＭＡＣ  ＰＤＵを前記ターゲット基地局にサービスの連続性のために伝送することもできるが、前記ターゲット基地局のバックボーン（ｂａｃｋｂｏｎｅ）メッセージを利用した要求により無視されることもあると定義されている。しかしながら、前記端末がこれを受信するために行う必要のある動作は、まだ具体的に明示されていない。
【００１３】
従って、本発明は、前記端末が移動した後、前記以前の基地局により前記ターゲット基地局に伝送されるデータを受信するための動作を定義する。
【００１４】
図３及び図４は、移動端末がハンドオーバーを行う２つの例を示す。図３及び図４に示すように、前記端末の要求又は前記基地局の要求によるハンドオーバー手順において、前記端末がハンドオーバーのための事前手順を行った後、現在サービスを受けている基地局（Ｓｅｒｖｉｎｇ  ＢＳ）にハンドオーバーインジケータ（例えば、ＭＯＢ＿ＨＯ＿Ｉｎｄｉｃａｔｉｏｎ）が伝送され、サービスを受けている基地局（ＢＳ＃１）との関係（接続）が解除される。その後、前記端末は、前記ターゲット基地局（ＢＳ＃３）にアクセスするための残りのハンドオーバー手順、すなわち、レンジング（Ｒａｎｇｉｎｇ）手順及び初期ネットワークエントリを行う。
【００１５】
図５は、ハンドオーバーインジケータ（ＭＯＢ＿ＨＯ＿Ｉｎｄｉｃａｔｉｏｎ）のフォーマットを示す。サービスを受ける基地局（ＢＳ＃１）との関係（接続）を解除する場合、ＨＯ−ＩＮＤ−ｔｙｐｅは「００」に設定される。
【発明の開示】
【発明が解決しようとする課題】
【００１６】
しかしながら、従来のアイドルモードの場合、前記端末がハンドオーバーを行うときに前記サービング基地局がデータを前記ターゲット基地局に伝送した場合、移動した前記端末が前記データを受信中にＩＰを再設定すると、前記受信データは無駄なデータとなる。すなわち、図２に示すように、前記端末は、ハンドオーバー後に伝送されるデータの有無に関係なくＩＰ設定を直ちに行い、前記端末に前記伝送されたデータが送られても、このデータは前記端末のアプリケーションプログラムにとっては無駄なデータとなる。従って、この場合は、ＩＰアドレス設定を行う時点について明確に定義される必要があるが、従来技術ではこれが定義されていない。
【課題を解決するための手段】
【００１７】
従来技術の問題を解消するためには、移動端末のハンドオーバーが行われるとき（又は、前記端末が動作モードを変更するとき）にデータの連続性が維持され、広帯域無線アクセスシステムにおける端末とネットワーク間の正しい通信のためにＩＰアドレス設定を適切に行う必要がある。
【００１８】
広帯域無線アクセスシステムにおいて、アイドルモードの移動又は固定端末が受信するダウンリンクデータを有するか、このデータ受信中にハンドオーバーを行う場合、ＩＰアドレス設定手順を延期（遅延）して基地局間でこのデータが正しく伝送されることを可能にする。
【発明の効果】
【００１９】
本発明は、前記移動端末が最初にアイドルモードに移行した第１基地局領域から第２基地局領域に移動してデータ受信を試みるとき、前記受信されたデータを第１基地局から第２基地局に伝送する手順を定義し、このデータを受信するために移動端末がＩＰアドレス設定手順を延期する方法を定義することにより、データ伝送を効率的に実行できるという効果がある。
【００２０】
また、本発明は、前記移動端末のハンドオーバーの後、基地局間の伝送されたデータを移動端末に伝送する方法を提供し、前記移動端末が前記以前の基地局から前記新しい基地局に伝送されたデータを受信する場合、ＩＰアドレス再設定を遅延することにより、サービスの連続性を保障できるという効果がある。
【発明を実施するための最良の形態】
【００２１】
以下、本発明の好ましい実施形態を詳細に説明する。しかしながら、当業者であれば本発明の特徴が後述する実施形態に限定されないということが理解できるであろう。
【００２２】
本発明は、ＩＥＥＥ８０２．１６のようなＩＥＥＥの様々なワーキンググループで進行中の研究及び開発に関連し、これらに利用される概念と技術内容は本発明の特徴に適用される。また、多様な種類のネットワークと通信技術を連動（ｉｎｔｅｒｗｏｒｋｉｎｇ）する作業、例えば、ＩＥＥＥネットワークとセルラーネットワーク（例えば、３Ｇネットワーク）間の互換性を達成するための多様な試みがなされており、本発明がこのような互換性の達成に適用できるということは明白である。
【００２３】
無線接続システムに関する通信プロトコルを考慮すると、ネットワーク層において、インターネットでのデータパケット通信を許可するために、インターネットプロトコルがパケットのためのアドレス指定及びルーティングを提供する。ここで、インターネットで接続した各装置（ユーザ端末、携帯電話機、無線接続装置など）は、正しく識別されて他の装置と区分できるように固有のＩＰアドレスの設定が必要である。
【００２４】
ＩＰｖ４（ＩＰ  ｖｅｒｓｉｏｎ  ４）及びＩＰｖ６（ＩＰ  ｖｅｒｓｉｏｎ  ６）というインターネットプロトコルが開発された。３２ビットアドレスを採用するＩＰｖ４は、インターネットに接続される各装置がの固有ＩＰアドレスを必要とするため、インターネット通信の増加による限界があるということが明らかにされた。従って、３２ビットアドレスがもうすぐ枯渇するため、１２８ビットを利用するＩＰｖ６が改善案として開発された。
【００２５】
しかしながら、ユーザ端末が移動性を有するため（すなわち、移動端末であるため）、ＩＰアドレス設定がより難しくなる。例えば、移動性をサポートするためにユーザ端末がハンドオーバーを実行できるが、特定領域を担当する基地局により管理されていた端末が新しい位置に移動すると、前記新しい位置を担当する他の基地局により管理される必要がある。すなわち、第１サブネット（ネットワークの一部分）にある移動端末が第２サブネット（ネットワークの他の部分）に移動する。他の例としては、ユーザ端末が動作モードをアイドルモードから受信モードにユーザ端末の動作状態を変えることがあるが、これは、節電動作モードの例であり、移動性を有するユーザ端末の限られたバッテリ電力を節約するための重要な役割を果たす。
【００２６】
このようなハンドオーバー又はアイドルモード変更状況において、ＩＰアドレス設定が適時に行われることで、前記ユーザ端末がデータを途切れなく受信できる。
【００２７】
従来技術の問題を解決するために、アイドルモードの移動端末が第１基地局のページング領域内にある第２基地局の領域に移動する広帯域無線アクセスシステムにおいて、本発明による移動端末のＩＰアドレス設定方法は、第１基地局にダウンリンクデータが到着すると、前記第１基地局が第１メッセージにより前記ダウンリンクデータを第２基地局に伝送する段階と、前記第２基地局が第２メッセージにより前記移動端末に伝送するデータがあることを通知する段階と、前記第２メッセージにより前記移動端末がデータ受信できるようにＩＰアドレス設定を延期する段階とを含む。
【００２８】
好ましくは、前記第１メッセージは、データ伝送メッセージである。好ましくは、前記端末のＩＰアドレス設定方法は、ＩＰアドレス設定が完了した後、前記第１基地局が前記第２基地局にデータ伝送停止メッセージを伝送する段階をさらに含む。好ましくは、前記第２メッセージは、登録応答メッセージ又はレンジング応答メッセージである。この場合、前記登録応答メッセージは、伝送されるデータが存在することを通知することで前記端末のＩＰアドレス設定を延期するパラメータを含む。
【００２９】
以上のような目的を達成するために、ダウンリンクデータを受信する移動端末が第１基地局のページング領域内にある第２基地局の領域に移動する広帯域無線アクセスシステムにおいて、本発明による移動端末のＩＰアドレス設定方法は、前記移動端末からハンドオーバーインジケータを第１基地局に伝送することで、前記第１基地局が第２基地局に前記ダウンリンクデータを伝送できるか否かを確認する段階と、前記第１基地局がデータ伝送インジケータにより移動端末にデータ伝送が可能であるか否かを通知し、前記ダウンリンクデータを第２基地局に伝送する段階と、前記データ伝送インジケータが受信されると、前記第２基地局からダウンリンクデータを受信した後、ＩＰアドレス再設定手順を行う段階とを含む。
【００３０】
好ましくは、前記第１基地局が明確にデータ伝送能力を通知できない場合、又は、所定時間データ伝送インジケータが受信されない場合、前記移動端末は、初期ネットワークエントリを行い、所定時間ダウンリンクデータの到着を待機した後、ＩＰアドレス再設定手順を行う。
【００３１】
以上のような目的を達成するために、ダウンリンクデータを受信する移動端末が第１基地局のページング領域内の第２基地局の領域に移動する広帯域無線アクセスシステムにおいて、本発明による端末のＩＰアドレス設定方法は、移動端末がハンドオーバーインジケータを第１基地局に伝送する段階と、前記第１基地局がデータ伝送インジケータにより第２基地局に前記ダウンリンクデータを伝送する段階と、前記移動端末が第１メッセージにより前記移動端末に第２基地局が伝送するデータが存在することを通知する段階と、前記第１メッセージにより移動端末が所定時間ＩＰアドレス再設定を延期した後、前記第２基地局からダウンリンクデータを受信する段階とを含む。
【００３２】
好ましくは、前記第１メッセージは、登録応答メッセージ又はレンジング応答メッセージである。
【００３３】
本発明は、第１実施形態として、広帯域無線アクセスシステムにおいて、アイドルモードで移動／固定端末により受信されるダウンリンクデータが存在するとき、基地局間で前記データを伝送するための方法、及び前記移動端末がデータ受信のために受信モードに移行すると、ＩＰ設定手順を延期（遅延）する方法を提案する。
【００３４】
すなわち、本発明は、前記移動端末がアイドルモードに移行し、前記移行手順を行った基地局の領域から他の基地局の領域に移動すると、データが最初のアイドルモード移行手順を行った基地局に到着した後、前記データを現在の基地局に伝送する手順を定義している。また、前述した手順により伝送されたメッセージを前記端末が受信するとき、ＩＰアドレスが変更された場合、このデータは無駄なデータとなるため、本発明は、このような場合にＩＰアドレス設定手順を行わないようにする手順を定義している。
【００３５】
他の実施形態として、本発明は、データ受信中にハンドオーバーが行われると、基地局間でデータを伝送する方法、及び移動端末が新しい位置に移動した後にデータを受信する間ＩＰアドレス設定手順を延期する方法を提案する。
【００３６】
すなわち、本発明は、広帯域無線アクセスシステムにおいて、移動端末のハンドオーバー中に、現在サービス中の基地局（サービング基地局）が、移動端末により受信中のデータをハンドオーバーするターゲット基地局にバックボーンネットワークで伝送することにより、ハンドオーバー後のサービスの連続性を保障する方法を提案する。
【００３７】
また、本発明は、移動端末がハンドオーバー後に以前の基地局から新しい基地局に伝送されたデータを受信する間、ＩＰアドレス設定手順を遅延（延期）できる方法を提案する。
【００３８】
さらに、本発明は、現在受信中のデータが移動後に受信できるか否かを明確に分かるようにして移動端末がハンドオーバーを実行できるようにする方法を提案し、サービング基地局からターゲット基地局に前記データを伝送するメッセージを定義する。
【００３９】
また、本発明は、前記移動端末がハンドオーバーを完了すると、前記ターゲット基地局が前記サービング基地局に移動端末のハンドオーバーが完了してデータ伝送を停止する必要があることを示すメッセージを定義する。
【００４０】
以下、本発明の第１実施形態による基地局間データ伝送方法及び端末のＩＰアドレス割り当て遅延方法を説明する。
【００４１】
ハンドオーバーが行われると、サービング基地局は、前記端末（ＭＳＳ）に関するＭＡＣ  ＳＤＵ（Ｓｅｒｖｉｃｅ  Ｄａｔａ  Ｕｎｉｔ）を破棄したり、サービス維持のために伝送できる。しかしながら、前記ＭＳＳは、トラヒックの種類によってＭＡＣ  ＳＤＵがターゲット基地局に伝送されるか否かを決定しなければならない。従って、本発明は、ＭＳＳがデータ伝送と共に、サービングＭＳ解除を要求する新しい方法を提案する。このために、図５に示すように、本発明は、前記ＭＳＳに対して１つのＨＯ＿ＩＮＤ＿ｔｙｐｅを追加してＭＯＢ−ＨＯ−ＩＮＤメッセージ形式を修正することで、前記ＭＳＳに関するＭＡＣ  ＳＤＵを伝送してサービスの連続性を決定する方法を提案する。
【００４２】
データ伝送の場合、前記ＭＳＳがハンドオーバー後にＩＰ接続を再設定した場合、ＩＰアドレス変更により前記伝送されたデータは無駄になる。従って、前記サービング基地局から伝送されるデータが存在する場合、前記ＭＳＳは、ＩＰ再設定を延期しなければならない。
【００４３】
前記基地局（ＢＳ）がデータを伝送するか否かを決定し、前記ＭＳＳがこの決定を知らない場合、前記ＭＳＳは、サービング基地局解除を示すＨＯ＿ＩＮＤ＿ｔｙｐｅ値を含むＭＯＢ＿ＨＯ＿ＩＮＤ  ＭＡＣ管理メッセージを送信することでサービング基地局解除を要求し、前記基地局（ＢＳ）は、前記ＭＳＳのためのデータを前記ターゲット基地局に伝送するか否かを決定する。
【００４４】
前記サービング基地局が前記ＭＳＳのデータを前記ターゲット基地局に伝送することを決定した否かを前記ＭＳＳが知らないため、前記ＭＳＳは、ハンドオーバー後に予め決定された時間の間伝送されるデータを待機する。前記予め決定された時間内に新しい基地局からデータが受信され、送信先が従来のＩＰアドレスである場合、前記ＭＳＳは、セッションが終了するまでＩＰアドレス再設定を延期するように選択できる。前記ＭＳＳがセッションを終了することを選択すると、新しいＩＰアドレスを取得するためにＩＰ接続を設定する。
【００４５】
前記ＭＳＳがＩＰ接続を再設定すると、前記新しい基地局は、Ｓｔｏｐ＿Ｄａｔａ＿Ｆｏｒｗａｒｄｉｎｇバックボーンメッセージを前記以前の基地局に送ることができる。前記サービング基地局がＳｔｏｐ＿Ｄａｔａ＿Ｆｏｒｗａｒｄｉｎｇバックボーンメッセージを受信すると、前記基地局は、全ての接続を解除し、状態機械及び前記ＭＳＳに関するＭＡＣ  ＳＤＵを破棄する。
【００４６】
前記ＭＳＳがデータ伝送と共にサービング基地局解除を明確に要求できる場合、前記ＭＳＳは、ハンドオーバー後に受信される伝送データがあるか否かを確認するために、予め決定された時間の間待機する必要がない。ここで、前記基地局は、前記ＭＳＳにデータ伝送能力を通知する。前記ＭＳＳは、データ伝送をサポートするという表示を受信すると、ＩＰ接続の再設定を延期し、データ伝送がサポートされないという表示を受信すると、ハンドオーバー後に予め決定された時間待機せずにＩＰ接続を再設定する。
【００４７】
前記ＭＳＳがＩＰ接続を再設定すると、前記新しい基地局は、Ｓｔｏｐ＿Ｄａｔａ＿Ｆｏｒｗａｒｄｉｎｇバックボーンメッセージを前記以前の基地局に送ることができる。前記サービング基地局がＳｔｏｐ＿Ｄａｔａ＿Ｆｏｒｗａｒｄｉｎｇバックボーンメッセージを受信すると、前記基地局は、全ての接続を解除し、状態機械及び前記ＭＳＳに関するＭＡＣ  ＳＤＵを破棄する。
【００４８】
データ伝送を明確に要求できるＭＳＳがサービング基地局解除を示すＨＯ＿ＩＮＤ＿ｔｙｐｅ値を含むＭＯＢ＿ＨＯ＿ＩＮＤ  ＭＡＣ管理メッセージを送信することで前記サービング基地局解除を要求する場合、前記ＭＳＳは、前記ターゲット基地局にデータが伝送されるか否かを問題としない。前記ＭＳＳは、ハンドオーバーが完了して前記新しい基地局に登録するとすぐにＩＰ再設定を開始する。
【００４９】
ハンドオーバー要求／応答ハンドシェイクが終了した後、前記ＭＳＳは、実質的にハンドオーバー（ＨＯ）を開始する。前記ハンドオーバー過程中に、前記ＭＳＳは、データ伝送のオプションを有するか、又は有しない前記サービング基地局とのサービスを終了する。これは、データを伝送しないサービング基地局解除を示すＨＯ＿ＩＮＤ＿ｔｙｐｅ値を含むＭＯＢ＿ＨＯ＿ＩＮＤ  ＭＡＣ管理メッセージを送信したり、前記ターゲット基地局にデータを伝送するサービング基地局解除を示すＨＯ＿ＩＮＤ＿ｔｙｐｅ値を含むＭＯＢ＿ＨＯ＿ＩＮＤ  ＭＡＣ管理メッセージを送信することで行われる。
【００５０】
前記基地局は、ＨＯ＿ＩＮＤ＿ｔｙｐｅフィールドがサービング基地局解除を示す場合、全ての接続を解除し、ＭＡＣ状態機械及び前記ＭＳＳに関するＭＡＣ  ＳＤＵを破棄し、また、ＨＯ＿ＩＮＤ＿ｔｙｐｅフィールドがデータ伝送と共にサービング基地局解除を示す場合、全ての接続、前記ＭＡＣ状態機械及び前記ＭＳＳに関するＭＡＣ  ＳＤＵを維持し、前記ターゲット基地局が前記サービング基地局にバックボーンにより伝送停止を要求するまで前記ＭＡＣ  ＳＤＵをターゲット基地局に伝送してサービスを続ける。前記ターゲット基地局は、前記伝送されたデータを保存して前記ＭＳＳのハンドオーバーの終了が成功したときに伝送することができ、そのとき、バックボーンメッセージを送って前記サービング基地局に伝送を停止させる。
【００５１】
前記ＭＳＳは、データ伝送と共にサービング基地局解除を示すＨＯ＿ＩＮＤ＿ｔｙｐｅ値を含むＭＯＢ＿ＨＯ＿ＩＮＤ  ＭＡＣ管理メッセージを送信することで現在受信中のデータの伝送を要求できる。この要求は、サービス継続のために前記ＭＳＳが現在受信中のデータを前記サービング基地局を介して受信することを希望する場合に要求され、前記現在受信中のデータ手順が終了までＩＰ再設定がハンドオーバー後に延期される。データ伝送と共にサービング基地局解除を示すＨＯ＿ＩＮＤ＿ｔｙｐｅを受信すると、前記サービング基地局は、基本ＣＩＤを利用して前記基地局がデータを伝送できるか否かを示すＭＯＢ＿ＦＷＤ＿ＩＮＤを前記ＭＳＳに送る。ＭＯＢ＿ＦＷＤ＿ＩＮＤの実行コード（ａｃｔｉｏｎ  ｃｏｄｅ）が「データ伝送がサポートされない」を示す場合、前記ＭＳＳは、ハンドオーバーが終了するとすぐにＩＰアドレスを再設定し、前記実行コードが「データ伝送をサポートする」を示す場合、前記ＭＳＳは、ＩＰアドレスの再設定を延期し、前記伝送されるデータを受信する。前記ＭＳＳが前記伝送されるデータの受信中にＩＰ接続を再設定すると、前記基地局は、以前の基地局にバックボーンメッセージを送ってデータの伝送の停止を要求することができる。
【００５２】
本発明の第１実施形態では次のようなメッセージを定義する。
【００５３】
＊データ伝送メッセージ：前記移動端末が前記ターゲット基地局に移動しなかった場合、受信されたデータを伝送するときに前記サービング基地局により使用されるメッセージである。
【００５４】
＊データ伝送停止メッセージ：前記移動端末によるデータ伝送の停止を要求するために、前記ターゲット基地局により前記以前の基地局に送られるメッセージである。
【００５５】
＊登録応答メッセージ：前記移動端末が登録手順を行うとき、前記移動端末に伝送されるメッセージ（データ）があることを通知することで、ＩＰアドレス設定を延期するパラメータをさらに含むメッセージである。
【００５６】
＊レンジング応答メッセージ：前記移動端末がレンジング手順を行うとき、前記移動端末に伝送されるメッセージがあることを通知することで、ＩＰアドレス設定を延期するパラメータをさらに含むメッセージである。
【００５７】
以下、図６〜図９は、前述した４種類のメッセージの一例をそれぞれ示し、ここで、各メッセージに対して使用されるパラメータは一例にすぎないため、変更できる。
【００５８】
ここで、図６に示すデータ伝送メッセージは、「ＭＳＳ−Ｄａｔａ−Ｆｏｒｗａｒｄｉｎｇ  Ｍｅｓｓａｇｅ」ともいい、このメッセージは、ハンドオーバー中にＭＳＳのＭＡＣ  ＳＤＵを伝送するために、前記サービング基地局から前記ターゲット基地局に送られるメッセージである。前記メッセージは、前記ＭＳＳが前記サービング基地局にデータ伝送と共にサービング基地局解除を要求するときに主に利用される。好ましくは、前記メッセージの送信は、後述するＳｔｏｐ−Ｄａｔａ−Ｆｏｒｗａｒｄｉｎｇメッセージを受信すると停止される。
【００５９】
図７に示すデータ伝送停止メッセージは、「Ｓｔｏｐ−Ｄｔａ−Ｆｏｒｗａｒｄｉｎｇ  Ｍｅｓｓａｇｅ」ともいい、このメッセージは、前記サービング基地局に前記ＭＳＳのＭＡＣ  ＳＤＵ伝送を停止させるために、前記ターゲット基地局から前記サービング基地局に送られる。
【００６０】
以下、図１０を参照して、第１実施形態により、前記基地局間のデータ伝送方法及び前記端末のＩＰアドレス割り当て（設定）遅延（延期）方法を説明する。
【００６１】
基地局間でデータを伝送する手順
前記移動端末がアイドルモードに移行し、前記アイドルモード移行手順を行った基地局領域から他の基地局領域に移動した場合、データが最初にアイドルモード移行手順を行った基地局（Ｓｅｒｖｉｎｇ  ＢＳ：ＢＳ＃１）に到着すると、この基地局（ＢＳ＃１）は、特定ＭＡＣアドレスを有する移動端末（ＭＳＳ）にダウンリンクデータが到着したことを他の基地局（ＢＳ＃２及びＢＳ＃３）に通知する。
【００６２】
その後、同一のページング領域にある全ての基地局（ＢＳ＃２及びＢＳ＃３）は、前記移動端末を呼び出す（ｐａｇｉｎｇ）ために、前記ＭＡＣアドレスを利用して実行コードを「ｅｎｔｅｒ  ｎｅｔｗｏｒｋ」に設定する。前記ページングを受信した移動端末（ＭＳＳ）は、ネットワークエントリ手順を行い、このネットワークエントリ過程が行われる基地局（Ｔａｒｇｅｔ  ＢＳ：ＢＳ＃３））は、基地局自身のページング領域に呼び出す移動端末が存在することを前記データを受信した基地局（サービング基地局）に通知する。
【００６３】
従って、前記基地局（ＢＳ＃１）は、前記データを移動端末がネットワークエントリを行った基地局（ＢＳ＃３）に伝送する。ここで、前記データは、バックボーンメッセージであるデータ伝送メッセージに含まれて伝送される。
【００６４】
ネットワークエントリを行うときのＩＰアドレス設定の延期
一方、前記移動端末が受信するデータがあるためネットワークエントリを行うとき、前記移動端末は、次の２つの事情によりＩＰアドレス設定を延期（遅延）しなければならない。
【００６５】
第１に、アイドルモードから、ページングの実行コード（例えば、ｅｎｔｅｒ  ｎｅｔｗｏｒｋ）によりネットワークエントリを行う場合、ＩＰアドレス設定を延期（遅延）する。
【００６６】
第２に、前記基地局が登録手順又はレンジング手順を明確に行うとき、伝送されるデータがあることが登録応答メッセージ又はレンジング応答メッセージを利用して前記移動端末に通知され、前記移動端末は、ＩＰアドレス設定を延期（遅延）する。
【００６７】
また、前記移動端末は、データ受信中にＩＰアドレスを設定でき、前記ＩＰアドレスが設定されると、データを受信している基地局は、前記データを伝送する基地局にバックボーンメッセージであるデータ送信停止メッセージを送信する。
【００６８】
以下、本発明の第２実施形態による、基地局間のデータ伝送方法及び前記移動端末のＩＰアドレス割り当て（設定）の遅延（延期）方法を説明する。本発明の第１実施形態では次のようなメッセージを定義する。
【００６９】
＊ハンドオーバーインジケータ：このインジケータは、現在受信中のデータを伝送できるか否かを明確に通知することを要求する。
【００７０】
＊データ伝送インジケータ：このインジケータは、データ伝送ができるか否かについて前記基地局が前記移動端末に通知することを可能にする。
【００７１】
＊データ伝送メッセージ：このメッセージは、前記移動端末が移動しなかったときに受信されたデータを前記サービング基地局が前記ターゲット基地局に伝送するときに使用される。
【００７２】
＊データ伝送停止メッセージ：このメッセージは、前記ターゲット基地局が前記以前の基地局に前記移動端末のデータ伝送中止を要求するときに使用されるメッセージである。
【００７３】
＊登録応答メッセージ：このメッセージは、前記移動端末が登録手順を行うとき、前記移動端末に伝送されるメッセージが存在することを通知することによりＩＰアドレス設定を延期するパラメータをさらに含む。
【００７４】
＊レンジング応答メッセージ：このメッセージは、前記移動端末がレンジング手順を行うとき、前記移動端末に伝送されるメッセージが存在することを通知することによりＩＰアドレス設定を延期するパラメータをさらに含む。
【００７５】
前記ハンドオーバーインジケータ及び前記データ伝送インジケータのフォーマットは、図５及び図１１それぞれに示す。前記４種類のメッセージのそれぞれのフォーマットは、図６〜図９に示す。ここで、それぞれのメッセージに使用されるパラメータは一例にすぎないため、変更できる。
【００７６】
図１１において、データ伝送インジケータの例としてＭＯＢ＿ＦＷＤ＿ＩＮＤ＿Ｍｅｓｓａｇｅ＿Ｆｏｒｍａｔを示す。データ伝送と共にサービング基地局解除を示すＨＯ＿ＩＮＤ＿ｔｙｐｅ値を含むＭＯＢ＿ＨＯ＿ＩＮＤ  ＭＡＣ管理メッセージを前記ＭＳＳが送信すると、前記基地局は、このメッセージを送ってデータ伝送能力を通知する。前記基地局が前記ターゲット基地局にデータを伝送できると前記ＭＳＳに通知するために実行コード００を送り、前記基地局がデータ伝送をサポートできない場合は０１を送る。
【００７７】
図１２は、本発明による登録応答（ＲＥＧ＿ＲＳＰ）メッセージ符号化の例を示す。
【００７８】
図１２を参照すると、「ＨＯ  Ｐｒｏｃｅｓｓ  Ｏｐｔｉｍｉｚａｔｉｏｎ  ＴＬＶ  ｉｔｅｍ」の「ＭＳＳ  ｄｏｗｎｌｉｎｋ  ＤＬ  ｄａｔａ  ｐｅｎｄｉｎｇ  ｅｌｅｍｅｎｔ」について、ハンドオーバー中に、前記ターゲット基地局は、Ｂｉｔ＃７を利用して「ｐｏｓｔ−ＨＯ  ｒｅ−ｅｎｔｒｙ  ＭＳＳ  ＤＬ  ｄａｔａ  ｐｅｎｄｉｎｇ」を前記ＭＳＳに通知する。ＭＳＳが（新しいサービング基地局になった）ターゲット基地局へのリエントリに成功し、維持されて伝送されるハンドオーバー待機端末ダウンリンクデータの受信を前記新しいサービング基地局が完了すると、前記ＭＳＳは、ＩＰ接続を再設定し、前記新しいサービング基地局は、バックボーンメッセージを送って前記以前の基地局又は他のネットワークエンティティにハンドオーバー以前のＭＳＳダウンリンクデータ（ｐｒｅ−ＨＯ  ｐｅｎｄｉｎｇ  ＭＳＳ  ＤＬ  ｄａｔａ）伝送の停止を要求できる。
【００７９】
以下、第２実施形態による、基地局間のデータ伝送方法及び前記移動端末のＩＰアドレス割り当て（設定）遅延（延期）方法を、図１３〜図１６を参照して説明する。ここで、図１３〜図１６において、前記端末（ＭＳＳ）を解除する段階は、最初のＭＳＳデータ伝送段階以前に示しているが、必要に応じて又は所望する場合、全体手順の他の部分で実行することもできるということを示すために、「ＭＳＳ解除」の段階を点線のボックスで示す。例えば、ＭＳＳ解除段階を初期段階ではない全過程の最終段階で実行することがより有利である場合は、そうしてもよい。
【００８０】
また、図１３〜図１５において、サービング基地局がターゲット基地局からデータ伝送の停止を指示するメッセージ（Ｓｔｏｐ−Ｄａｔａ−Ｆｏｒｗａｒｄｉｎｇ）を受信するまでデータ伝送段階は続けて実行される。
【００８１】
また、本発明の特徴は、基地局間のデータ伝送について説明されたので、このようなデータ伝送は、基地局間で直接行うこともでき、アクセスゲートウェイのような中間ネットワーク要素を介して行うこともできることが分かる。すなわち、図２に示すように、ネットワークの一部は（例えば、バックボーン）、少なくとも２つの基地局が直接接続されている場合もあり、２つの基地局がゲートウェイ（又は、他のネットワーク要素）を介して接続されている場合もある。
【００８２】
基地局がデータ伝送能力について端末に明確に通知できない場合
図１３は、基地局が移動端末にデータを伝送できる否かを明確に通知できない場合のＩＰアドレス設定を示す図である。
【００８３】
図１３に示すように、前記移動端末は、現在受信中のデータが存在する場合、ＭＯＢ−ＨＯ−ＩＮＤのＨＯ＿ＩＮＤ＿ｔｙｐｅを「００」（＝サービング基地局解除（Ｓｅｒｖｉｎｇ  ＢＳ  ｒｅｌｅａｓｅ））に設定して伝送するか、又は、「１１」（＝データ伝送と共にサービング基地局解除（Ｓｅｒｖｉｎｇ  ＢＳ  ｒｅｌｅａｓｅ  ｗｉｔｈ  ｄａｔａ  ｆｏｒｗａｒｄｉｎｇ））に設定して基地局（ＢＳ＃１）に伝送できる。ＨＯ＿ＩＮＤ＿ｔｙｐｅが「００」である場合、前記移動端末は、前記基地局から明確なデータ伝送インジケータを期待せずに受信してハンドオーバーを行う。
【００８４】
この場合、前記端末は、以前の基地局（ＢＳ＃１）が新しい基地局（ＢＳ＃２）にデータを伝送できるか否かが分からない。従って、ハンドオーバー後、前記移動端末は、以前の基地局（ＢＳ＃１）から伝送されるデータがあるか所定時間待機した後、ＩＰアドレスを再設定する。前記所定時間内に伝送されるデータがある場合、前記移動端末は、このデータを受信する間ＩＰアドレス設定を保留（延期、遅延など）でき、いつでもデータ受信を停止して新しい経路を介してデータを受信すると決定でき、ＩＰ再設定が行われると、新しい基地局（ＢＳ＃２）は、これを感知して以前の基地局（ＢＳ＃１）にデータ伝送停止メッセージを伝送する。
【００８５】
前記データ伝送停止メッセージを受信すると、前記以前の基地局は、伝送中のメッセージを停止し、移動した移動端末に対するＭＡＣの状態機械を解除（キャンセル）し、その後、上位層から伝送されるＭＡＣ  ＳＤＵを無視する。
【００８６】
図１４は、基地局が明確なデータ伝送メッセージを提供しない場合のＩＰアドレス設定を示す図である。
【００８７】
図１４を参照すると、前記移動端末が「１１」のＨＯ＿ＩＮＤ＿ｔｙｐｅを伝送する場合は、前記基地局がデータが伝送されるか否かを明確に通知することを前記移動端末が期待する場合であり、前記基地局からデータ伝送インジケータを受信すると、図１５に示すように、前記移動端末は、前記基地局がデータ伝送ができるか否かを明確に通知できる場合と同様に動作する。
【００８８】
しかしながら、前記基地局が前記データ伝送インジケータをサポートしない場合、前記移動端末は、所定時間待機し、前記データ伝送インジケータが基地局から受信されない場合、以後の動作はＨＯ＿ＩＮＤ＿ｔｙｐｅが「００」である場合と同様に行われる。
【００８９】
基地局が明確にデータ伝送能力を通知できる場合
図１５は、前記基地局が前記移動端末にデータ伝送が可能であるか否かを明確に通知できる場合のＩＰアドレス設定を示す図である。
【００９０】
図１５に示すように、前記移動端末は、現在受信中のデータがある場合、前記基地局からデータ伝送ができるか否かを示す明確なインジケータを受信するために、ＭＯＢ−ＨＯ−ＩＮＤのＨＯ＿ＩＮＤ＿ｔｙｐｅを「１１」（＝ｓｅｒｖｉｎｇ  ＢＳ  ｒｅｌｅａｓｅ  ｗｉｔｈ  ｄａｔａ  ｆｏｒｗａｒｄｉｎｇ）に設定して伝送できる。基地局（ＢＳ＃１）が前記ハンドオーバーインジケータ（ＭＯＢ−ＨＯ−ＩＮＤ）のＨＯ＿ＩＮＤ＿ｔｙｐｅをサポートする場合、前記基地局（ＢＳ＃１）は、データ伝送インジケータ（ＭＯＢ−ＦＷＤ−ＩＮＤ）を移動端末に伝送する。従って、前記データ伝送インジケータ（ＭＯＢ−ＦＷＤ−ＩＮＤ）を受信した移動端末は、現在受信中のデータを受信した後、ＩＰアドレス再設定手順を行う。
【００９１】
伝送されるデータの有無について新しい基地局が通知する場合
図１６は、前記移動端末の明確なインジケータの要求によりサービス基地局がインジケータを伝送し、データを伝送する手順の一例を示す図である。
【００９２】
図１６を参照すると、データを受信していた移動端末が移動した場合、新しい基地局（ＢＳ＃２）が以前の基地局（ＢＳ＃１）からハンドオーバーする端末に対する伝送データを受信すると、前記新しい基地局（ＢＳ＃２）は、前記移動端末がハンドオーバー後にレンジング手順を行うとき、又は、登録手順を行うときにこのような事実を前記移動端末に通知することで、前記移動端末にＩＰアドレス設定を遅延させる。
【００９３】
本発明が無線接続技術について説明され、無線通信で使用されるユーザ端末の移動性、ハンドオーバー、アイドルモードなどの類似した点があるため、ＷＩＭａｘ、ＷｉＢｒｏ、Ｗｉ−Ｆｉなどの現在開発中の様々な無線接続技術も本発明の特徴及び技術から利益を得ることが明白である。
【００９４】
好ましい実施形態の記述により当該技術分野における通常の知識を有する者であれば、本発明を実現又は利用することができる。このような実施形態の多様な修正は、当該技術分野における通常の知識を有する者にとって明白であり、ここで定義された一般的な原理は、他の実施形態に適用できる。従って、本発明は、本明細書に記載された実施形態に限定されるのでなく、本明細書に記載された原理及び新規な特性に一致する最大限広い範囲に及ぶ。
【図面の簡単な説明】
【００９５】
【図１】従来の移動端末がアイドルモードに移行するときのＩＰアドレス再設定動作を示す図である。
【図２】従来のアイドルモードの移動端末が受信モードに移行するとき又はハンドオーバーが発生するとき、ＩＰアドレス再設定を示す図である。
【図３】移動端末の要求によりハンドオーバーを行う例を示す図である。
【図４】基地局の要求によりハンドオーバーを行う例を示す図である。
【図５】従来のハンドオーバーインジケータのフォーマットを示す図である。
【図６】本発明に適用されるデータ伝送メッセージのフォーマットを示す図である。
【図７】本発明に適用されるデータ伝送停止メッセージのフォーマットを示す図である。
【図８】本発明に適用される登録応答メッセージの一例を示す図である。
【図９】本発明によるレンジング応答メッセージの一例を示す図である。
【図１０】本発明の第１実施形態による基地局間のデータ伝送及び移動端末のＩＰアドレス割り当て遅延方法を示す図である。
【図１１】本発明に適用されるデータ伝送インジケータのフォーマットを示す図である。
【図１２】本発明による登録応答メッセージ（ＲＥ＿ＲＳＰ）符号化の一例を示す図である。
【図１３】本発明の第１実施形態による基地局間のデータ伝送及び端末のＩＰアドレス割り当て遅延方法において、基地局が移動端末にデータの伝送が可能であるか否かについて明確に通知できない場合のＩＰアドレス設定を示す図である。
【図１４】本発明の第２実施形態による方法において、所定時間基地局から明確なデータ伝送メッセージがない場合のＩＰアドレス設定を示す図である。
【図１５】本発明の第２実施形態による方法において、基地局が端末にデータの伝送が可能であるか否かについて明確に通知できる場合のＩＰアドレス設定を示す図である。
【図１６】本発明の第２実施形態による方法において、移動端末の要求によりサービス基地局がインジケータを伝送した後、データを伝送する手順の一例を示す図である。
【図１】
2007536787.tif 000003
【図２】
2007536787.tif 000004
【図３】
2007536787.tif 000005
【図４】
2007536787.tif 000006
【図５】
2007536787.tif 000007
【図６】
2007536787.tif 000008
【図７】
2007536787.tif 000009
【図８】
2007536787.tif 000010
【図９】
2007536787.tif 000011
【図１０】
2007536787.tif 000012
【図１１】
2007536787.tif 000013
【図１２】
2007536787.tif 000014
【図１３】
2007536787.tif 000015
【図１４】
2007536787.tif 000016
【図１５】
2007536787.tif 000017
【図１６】
2007536787.tif 000018
【国際調査報告】
2007536787.tif 000019
2007536787.tif 000020